(57)【要約】      （修正有）【課題】パソコン画面にフックにて引っ掛け、パソコン使用者の離席時、行き先、離席先等、在席、不在の有無等やパソコンそのものが故障中であるか等を表示する針金でできたパソコン行き先等表示フックを提供する。【解決手段】パソコン画面５に針金でフックにて引っ掛けて着脱容易にし、貼る剥がす手間をなくし、パソコン使用者の行き先所在等を表示し、職場でも在宅でもパソコン使用者の所在の把握を用意にするパソコン等行き先等表示フックである。針金は軽く錆びにくいだけでなく、パソコン画面が電源ｏｎのときは明るく針金の色を白以外で作成すればよく、パソコン画面がｏｆｆのときは画面は黒色であり、針金を白色で作成すれば識別性を高められる。パソコン画面の上部の形状がフック部に懸かるかにより、適宜折り曲げることが可能で、引っかけるパソコンに性能上の禁忌がなければ、適宜ゴム管を履かせ滑り止めとすることも可能である。【選択図】図１
2014164296.tif 000002
【特許請求の範囲】
【請求項１】
パソコン画面にフック等で表示する多目的表示フック
【請求項２】
さらに、針金でできた、適宜ゴム管でフック部を滑り止めした請求項１の表示するフック
【請求項３】
さらに、色で識別する請求項１の表示するフック
【請求項４】
さらに、特に職場や家庭等パソコン使用場所での行き先、離席先、在勤か休みか等パソコン使用者の所在等やパソコンの故障等を表示する請求項１表示するフック。
【発明の詳細な説明】
【技術分野】
【０００１】  本発明は、パソコン画面にかける行き先等表示フックに関するものである。
【技術背景】
【０００２】  パソコンの操作する机にて、離籍する際、職場なら職場の居室の行き先表示板、在宅なら家族等に言付けて外出する等が考えられ、実際もそうである。しかし、職場に行き先表示板がない場合や言付けする家族が居合わせない場合、本人がいるかどうかはパソコンの電源が入ってるかどうかで判断されることもある。その場合、パソコン画面の電源が入っているか視線が画面に行くことがある。
【０００３】  パソコンの画面が点いているかどうかが、本人が在室しているかどうかの判断の為の対象基準となることがある。その際、電源が付いているかどうかは画面が待機状態になってることがあり、即断できない又は判断が付かないことがある。このような時、本人の所在を知らせる表示が、パソコンの電源が切れているかそれとも一時的に待機状態なのかに関わらず、表示があれば本人も周りの本人以外の者も便利である。
【０００４】  このため、パソコン画面に色付き付箋やメモ用紙をセロテープ等で貼り「帰宅します」とか「昼食中です」とか「会議中です」という表示もなされる。しかし、付箋は仮止めなため、剥がれたり表示が小さすぎることもあり、付箋以外のメモ用紙をセロテープ等で貼ることも、パソコン画面のモニターが、画面以外の枠の部分が細く、付箋等を貼ることを想定していないため、付箋等を貼るスペースが十分出ないことが多い。このため、パソコンの電源を切り使用していないときはやむなく画面上に貼ることも可能だが、使用中の場合、画面の閲覧に支障が出ることもある。
【０００５】  パソコン画面に針金でフックにて引っ掛けて着脱容易にし、貼る剥がす手間をなくし、所在を表示する表示があれば、職場でも在宅でも有用ではないかと考えた。針金は軽く錆びにくいだけでなく、パソコン画面が電源ｏｎのときは明るく針金の色を白以外で作成すればよく、パソコン画面がｏｆｆのときは画面は黒色であり、針金を白色又は黄色で作成すれば識別性を高められる。離席する用事で、典型的な用件「会議中」「帰宅」「昼食」「総務課など他課へ行っている」「第○会議室」「部長室」「所長室」「理事」「理事長室」「出張」の表示が、その人が在席するか離席しているか又は不在かは、よく視線が行くパソコン画面に表示があれば、その識別がより容易に行われるのではないかと考えた。また行き先だけでなく、「出勤」「有給」「病気休暇」「インフルエンザ」「かぜ」「介護休」「特休」「代休」等など出社の有無やパソコンそのものが故障している場合、故障という表示も有用であると考えた。フック部には、掛けようとするパソコン画面の上部の形状がフック部に懸かるかにより、適宜折り曲げることが針金では可能である。また、引っかけるパソコンに性能上の禁忌がなければ、適宜ゴム管を履かせ滑り止めとすることも可能である。
【発明が解決しようとする課題】
【０００６】  パソコンの画面が点いているかどうかが、本人が在室しているかどうかの判断の為の対象となることがある。その際、電源が付いているかどうかは画面が待機状態になってることがあり、即断できない又は判断が付かないことがある。このような時、本人の所在を知らせる表示が、パソコンの電源が切れているかそれとも一時的に待機状態なのかに関わらず、表示があれば本人も周りの本人以外の者も便利である。
【０００７】  このため、パソコン画面に色付き付箋やメモ用紙をセロテープ等で貼り「帰宅します」とか「昼食中です」とか「会議中です」という表示もなされる。しかし、付箋は仮止めなため、剥がれたり表示が小さすぎることもあり、付箋以外のメモ用紙をセロテープ等で貼ることも、パソコン画面のモニターは、画面以外の枠の部分が細く、付箋等を貼ることを想定していないため、付箋等を貼るスペースが十分出ないことが多い。このため、パソコンの電源を切り使用していないときはやむなく画面上に貼ることも可能だが、使用中の場合、画面の閲覧に支障が出ることもある。
【課題を解決するための手段】
【０００８】  パソコン画面に針金でフックにて引っ掛けて着脱容易にし、貼る剥がす手間をなくし、所在を表示する表示があれば、職場でも在宅でも有用ではないかと考えた。針金は軽く錆びにくいだけでなく、パソコン画面が電源ｏｎのときは明るく針金の色を白以外で作成すればよく、パソコン画面がｏｆｆのときは画面は黒色であり、針金を白色又は黄色で作成すれば識別性を高められる。離席する用事で、典型的な用件「会議中」「帰宅」「昼食」「トイレ」「総務課など他課へ行っている」「第○会議室」「部長室」「所長室」「理事」「理事長室」「「出張」「たばこ」等の表示が、その人が在席するか離席しているか、不在かよく視線が行くパソコン画面に表示があれば、その識別がより容易に行われるのではないかと考えた。また行き先だけでなく、「出勤」「有給」「病気休暇」「インフルエンザ」「かぜ」「介護休」「特休」「代休」等など、出社の有無がパソコンで電子化された場合にも、出社有無の表示がパソコンの電源ＯＦＦで閲覧できなくても本人も他の者もこの表示フックの表示を見ることによって識別可能であり、やパソコンそのものが故障している場合、故障という表示も有用であると考えた。針金の絵文字のフックであれば、所在・出社の有無等の表示になると考えられた。付箋のように剥がれ落ちて用件を伝えそびれることもなく、付箋以外のメモ用紙をセロテープ等で貼る剥がず煩わしさがないと考えられた。針金の絵文字にて表示が困難な漢字は、片仮名や平仮名、また英語にて代筆表示が可能又は一般的に通用する場合は、そのように工夫した。フック部には、掛けようとするパソコン画面の上部の形状がフック部に懸かるかにより、適宜折り曲げることが針金では可能である。また、引っかけるパソコンに性能上の禁忌がなければ、適宜ゴム管を履かせ滑り止めとすることも可能である。
【発明の効果】
その人が在席するか離席しているか、その識別がより容易になった。
【図面の簡単な説明】
【０００９】
【図１】本発明の正面図である。
【図２】本発明の正面図である。
【図３】本発明の正面図である。
【図４】本発明の正面図である
【図５】本発明の正面図である。
【図６】本発明の正面図である。
【図７】本発明の断面図である。
【図８】本発明の斜見図である。
【発明を実施するための形態】
本発明を実施するための形態を説明する。
【符号の簡単な説明】
１  行き先表示フック部
２  行き先表示部
３  故障表示フック部
４  故障表示部
５  パソコン画面
６  ゴム管
【図１】
2014164296.tif 000003
【図２】
2014164296.tif 000004
【図３】
2014164296.tif 000005
【図４】
2014164296.tif 000006
【図５】
2014164296.tif 000007
【図６】
2014164296.tif 000008
【図７】
2014164296.tif 000009
【図８】
2014164296.tif 000010
【図８】
2014164296.tif 000011
【手続補正書】
【提出日】平成25年4月19日(2013.4.19)
【手続補正１】
【補正対象書類名】明細書
【補正対象項目名】０００９
【補正方法】変更
【補正の内容】
【０００９】
【図１】正面図
【図２】正面図
【図３】正面図
【図４】正面図
【図５】正面図
【図６】断面図
【図７】断面図
【図８】断面図
【図９】斜見図
【図１０】斜見図
【図１１】斜見図
【図１２】斜見図
【図１３】斜見図
【図１４】斜見図
【手続補正２】
【補正対象書類名】図面
【補正対象項目名】全図
【補正方法】変更
【補正の内容】
【図１】
2014164296.tif 000012
【図２】
2014164296.tif 000013
【図３】
2014164296.tif 000014
【図４】
2014164296.tif 000015
【図５】
2014164296.tif 000016
【図６】
2014164296.tif 000017
【図７】
2014164296.tif 000018
【図８】
2014164296.tif 000019
【図９】
2014164296.tif 000020
【図１０】
2014164296.tif 000021
【図１１】
2014164296.tif 000022
【図１２】
2014164296.tif 000023
【図１３】
2014164296.tif 000024
【図１４】
2014164296.tif 000025